(57)【特許請求の範囲】
【請求項１】
バルコニーや廊下の外部側に一定間隔を持って複数本の手摺用支柱を植設し、
該植設された複数本の手摺用支柱の上端部に笠木材を架設して手摺を構成し、該手摺用支柱にはそれぞれの手摺用支柱見込面に対向して当接されビスまたはボルト・ナットにて前記手摺用支柱に固着された一対の板状持ち出しブラケットを備え、
該持ち出しブラケットの断面形状をそれぞれ手摺用支柱の見込面を覆い且つ見付面の半分をそれぞれ覆うようにＬ字型として互いに当接するＬ字型端部より手摺外部側に突設するリブ形状の持ち出しアームを設け、
該ブラケットアームを包括する前記持ち出しブラケットを手摺の笠木材直下部からコンクリートスラブの鼻先部の厚さを加えた長さとし、
該持ち出しブラケット下部を前記コンクリートスラブの鼻先部の略断面形状に合わせて欠き取り欠切部を設け、
前記持ち出しブラケットアームより突設して設けられたブラケットアームの上端側面とそれぞれ対向する他の手摺用支柱に設けられた同一形状のブラケットアームの上端間に手摺の腰壁材取付用上枠横桟材をそれぞれ取け付けて固着し、
該ブラケットアーム下端間には手摺の腰壁材取付用下枠横桟材をそれぞれ取り付けて、
該上下枠横桟材を用いて手摺の腰壁材となるガラス、アルミパネル、格子等を固定せしめ、
該手摺の腰壁材の取付面が当該建物の他の外壁面と同一面上に持ち出して取付可能となし、
該腰壁材が前記笠木材の直下より装架され下部はコンクリートスラブ鼻先部を覆い隠し当該建物外部から見えないように構成するか、前記コンクリートスラブ下部水切部上端までを覆い隠す構成にしたこと、
を特徴とする持ち出し手摺。
【請求項２】
バルコニーや廊下の外部側に一定間隔を持って複数本の手摺用支柱を植設し、
該植設された複数本の手摺用支柱の上端部に笠木材を架設して手摺を構成し、該手摺用支柱にはそれぞれの手摺用支柱見込面に対向して当接されビスまたはボルト・ナットにて前記手摺用支柱に固着された一対の板状持ち出しブラケットを備え、
該持ち出しブラケットの断面形状をそれぞれ前記手摺用支柱の見込面を覆い且つ見付面の半分をそれぞれ覆うようにＬ字型として互いに当接するＬ字型端部より手摺外部側に突設するリブ形状のブラケットアームを設け、
該ブラケットアームを包括する前記持ち出しブラケットの長さを手摺の笠木材の天端高さに合わせ手摺高さにコンクリートスラブの鼻先部の厚さを加えた長さとして、
該それぞれの持ち出しブラケット下部を前記コンクリートスラブの鼻先部の略断面形状に合わせて欠き取り欠切部を設け、また該持ち出しブラケット上部を笠木が支障なく使えるよう間隙を有して欠き取り欠切部を設け、
前記持ち出しブラケットより突設して設けられたブラケットアームの上端側面とそれぞれ対向する他の手摺用支柱に設けられた同一形状の持ち出しブラケットアーム上端間に手摺の腰壁材取付用上枠横桟材それぞれを取り付け固着し、
該ブラケットアーム下端間には手摺の腰壁材取付用下枠横桟材をそれぞれ取り付て、
該上下枠横桟材を用いて手摺の腰壁材となるガラス、アルミパネル、格子等を固定せしめ、
該手摺の腰壁材の取付面が当該建物の他の外壁面と同一面上に持ち出して取付可能となし、
該腰壁材が上部で前記笠木材の天端同一高さより笠木材を覆い隠して装架され下部はコンクリートスラブ鼻先部を覆い隠し当該建物外部から見えないように構成するか、前記コンクリートスラブ下部水切部上端までを覆い隠す構成にしたこと、
を特徴とする持ち出し手摺。
【請求項３】
前記ブラケットアーム上端間に設けられた上枠横桟材及びブラケットアーム下端間に設けられた下枠横桟材にそれぞれ押縁を有するガラス枠またはパネル枠を固設してガラス又はアルミパネルをはめ込んだことを特徴とする請求項１乃至請求項２記載のガラス又はパネル形式の持ち出し手摺。
【請求項４】
前記ブラケットアーム上端間に設けられた上枠横桟材からブラケットアーム下端間に設けられた下枠横桟材間に任意ピッチを有して格子部材を装架固定して、該装架固定した格子部材の建物外部側面が当該建物の他の外装面と同一面上に持ち出ししたことを特徴とする請求項１乃至請求項２記載の竪格子形式の持ち出し手摺。
【請求項５】
前記ブラケットアーム上端面に設けられる上枠横桟材及びブラケットアーム下端面に設けられる下枠横桟材を箱曲げ形状のアルミパネルの補強骨材とし、前記ブラケットアーム間に挟持固定したことを特徴とする請求項１乃至請求項２記載のパネル形式持ち出し手摺。
【発明の詳細な説明】
【０００１】
【発明の属する技術分野】
本発明はマンション等集合住宅のバルコニーや廊下の外部側に立設される持ち出し手摺に関するものであり、特に本発明はバルコニーや廊下のコンクリートスラブの鼻先部までをカバーした持ち出し手摺に関するものである。
【０００２】
高層マンションにあっては、手摺も外壁と同一面で設置され外壁の一部、または他の外壁と連続するファサードを構成する一部外壁材としてのデザイン的な要素を有する手摺の製作、並びに施工の要求がなされるようになってきた。この要求を満たすために、建物の外部側からは、バルコニーや廊下のコンクリートスラブの鼻先部を見せないように、手摺の腰壁材であるガラスやアルミパネル、または格子等で覆い隠したり、同様に手摺上部の笠木や支柱を手摺の腰壁材で覆い隠し、手摺の笠木や支柱を当該建物の外部側より見せないよう構成する手法が必要になってきた。
【０００３】
【従来の技術】
マンション等の集合住宅のバルコニーや廊下の手摺はコンクリートスラブの立ち上がり部に手摺用支柱を一定間隔を持って複数本植設して、該手摺用支柱間に笠木材を架設し、前記手摺用支柱よりブラケットを介して手摺腰壁材を取り付けている。従って手摺全体の自重や片持ち形状でコンクリートスラブに植設されている手摺用支柱の強度を考慮すると前記手摺用支柱間のピッチは９００〜１０００mmと小さくなり、手摺用支柱の部材断面形状も大きくなる。
【０００４】
斯くして、手摺用支柱間にブラケットを介して取り付けられるガラス入り枠やアルミパネルまたは、格子等の手摺腰壁材も小分割されたものになり、高層マンションや大型集合住宅の意匠設計者からは、手摺腰壁材が連続して見える手摺、外観上は手摺用支柱や、場合によっては手摺用笠木をも見せない手摺、コンクリートスラブの鼻先部を手摺腰壁材にて覆い隠す構成の手摺が求められ、且つ手摺の腰壁材の表面が、当該建物の外壁と同一面で設置され外壁の一部、または他の外壁と連続するファサードを構成する一部外壁材としてのデザイン的な要素を満足できる手摺が求められてきている。
【０００５】
而して上述の手法を実施するには建物のバルコニーや廊下のコンクリートスラブに一定間隔を持って手摺用支柱を植設し、該手摺用支柱の上端部に笠木材を装架して手摺を構成する。手摺腰壁材は笠木材及び手摺用支柱の立設位置より建物外部側に大きく張り出して設けるため、手摺用支柱から持ち出した四本のアーム形状ブラケットにより手摺腰壁材を建物外部側に張り出して取り付ける、所謂、持ち出し手摺が用いられる。
【０００６】
また、手摺用支柱にルーバー等の手摺腰壁材を見栄えよく取り付けるため持ち出しブラケット形状を特開平１１−１７２８７８号の如く工夫しているものもある。
【０００７】
【発明が解決しようとする課題】
しかしながら、従来の持ち出し手摺の使用目的が、バルコニーや廊下の狭さを少しでも解消し、手摺の腰壁材による圧迫感を生じさせないためのものであったのに対し、最近建設の盛んな高層マンション等集合住宅においては、手摺も外壁と同一面上に設置され外壁の一部、または他の外壁と連続するファサードを構成する一部外壁材としてのデザイン的な要素を追求されるようになってきており、本発明はこの課題を解決するための持ち出し手摺に関するものである。
【０００８】
【課題を解決するための手段】
上記目的を達成するため、請求項１に記載の発明に係る持ち出し手摺は、バルコニーや廊下の外部側に一定間隔を持って植設される複数本の手摺用支柱、該植設された複数本の手摺用支柱の上端部に笠木材を架設して手摺を構成し、該手摺用支柱にはそれぞれの手摺用支柱見込み面に対向して当接されビスまたはボルト・ナットにて前記手摺用支柱に固着された一対の板状持ち出しブラケット、該持ち出しブラケットの断面形状をそれぞれ手摺用支柱の見込面を覆い且つ見付面半分をそれぞれ覆うようにＬ字型として互いに当接するＬ字型端部より手摺外部側に伸張するリブ形状の持ち出しアームを条設し、該アームを有する持ち出しブラケットを前記手摺の笠木下部からバルコニーや廊下のコンクリートスラブの厚さを加えた長さとし、該持ち出しブラケット下部を前記バルコニーや廊下のコンクリートスラブの略断面形状に合わせて欠き取り、前記持ち出しブラケットアーム上端側面と対向する他の手摺用支柱に設けられた同一形状の持ち出しブラケットアーム上端側面間に手摺の腰壁材取付用上枠横桟材を取り付け、該持ち出しブラケット下端側面間には手摺の腰壁材取付用下枠横桟材を取り付けて、該上下枠横桟材を用いて手摺の腰壁材となるガラス、アルミパネル、格子等を固定せしめ、該手摺の腰壁材取付面が当該建物の他の外壁面と同一面上に持ち出して取付可能となし、該腰壁材が前記笠木の直下より装架され下部はバルコーや廊下のコンクリートスラブ鼻先を覆い隠し当該建物外部から見えないよう構成するか、前記コンクリートスラブ下部水切部上端までを覆い隠す構成とする。
【０００９】
また、請求項２に記載の発明に係る持ち出し手摺は、バルコニーや廊下の外部に一定間隔を持って植設される複数本の手摺用支柱、該植設された複数本の手摺用支柱の上端部に笠木材を架設して手摺を構成し、該手摺用支柱にはそれぞれの手摺用支柱見込面に対向して当接されビスまたはボルト・ナットにて手摺用支柱に固着された一対の板状持ち出しブラケット、該持ち出しブラケットの断面形状をそれぞれ手摺用支柱の見込面を覆い且つ見付面半分をそれぞれ覆うようにＬ字型として互いに当接するＬ字型端部より手摺外部側に伸張するリブ形状の持ち出しアームを条設し、該アームを有する持ち出しブラケットを前記手摺の高さにバルコニーや廊下のコンクリートスラブの厚さを加えた長さとし、該持ち出しブラケット下部を前記バルコニーや廊下のコンクリートスラブの略断面形状に合わせて欠き取り、また該持ち出しブラケット上部を笠木が障害なく使えるよう間隙を有して欠きとり、前記持ち出しブラケットアーム上端側面と対向する他の手摺用支柱に設けられた同一形状の持ち出しブラケットアーム上端側側面間に手摺の腰壁材取付用上枠横桟材を取り付け、該持ち出しブラケット下端側面間には手摺の腰壁材取付用下枠横桟材を取り付けて、該上下枠横桟材を用いて手摺の腰壁材となるガラス、アルミパネル、格子等を固定せしめ、該手摺の腰壁材の取付面が当該建物の他の外壁面と同一面上持ち出して取付可能となし、該腰壁材が上部で前記笠木材を覆い隠して装架され下部はバルコニーや廊下のコンクリートスラブ鼻先部を覆い隠し当該建物外部から見えないように構成するか、前記コンクリートスラブ下部水切部上端までを覆い隠すように構成したものである。
斯くして、本発明においては、手摺用支柱にビスまたはボルト・ナットにて固着される持ち出しブラケットのリブ状アームの突設される長さを選択して製作することにより、該持ち出しブラケットのアームの先端部に取り付けられるガラス、アルミパネル、格子等の手摺腰壁材を当該建物の外壁面と同一面上に位置して取り付けることができ、建物の外部側からは、バルコニーや廊下のコンクリートスラブの鼻先部を見せないように、手摺の腰壁材であるガラスやアルミパネル、または格子で覆い隠したり、同様に手摺上部の笠木や支柱を手摺の腰壁材で覆い隠し、当該建物の他の外壁と連続するファサードを構成する一部外壁材としてのデザイン的な要求を満たすことができる。
【００１０】
【発明の実施の形態】
以下に、本発明に係る具体例を図面に基づき説明する。
図１乃至図４は本発明をガラス入り手摺として実施した例を示すもので、図１は正面図、図２は図１のA−A拡大断面図、図３は図１のＢ−Ｂ拡大断面図、図４は本実施例の取付手順を示す斜視説明図を示している。
【００１１】
図１乃至図４において、１は笠木材、２a、２ｂ、２ｃは手摺用支柱、３a、３ｂ、３ｃはガラス（手摺の腰壁材）を示している。４a、４ｂ、４ｃ、4d、４eは手摺の持ち出しブラケットアームであり、該対向するアーム上端側面間にはそれぞれガラスを嵌合可能な上枠横桟材６a、６ｂ、６ｃがアーム間に挟持された形状で固定されている。
【００１２】
また持ち出しブラケットアーム４a、４ｂ、４ｃ、４ｄ、４eの下端側面間には同様に下枠横桟材７a、７ｂ、７ｃが固定されており、前記ガラス３a、３ｂ、３ｃは上枠横桟材６a、６ｂ、６ｃと下枠横桟材７a、７ｂ、７ｃ間に嵌着されて手摺の腰壁材８を形成している。
尚、９はバルコニーまたは廊下のコンクリート鼻先部であり、１０は例えば当該部分をコンクリートで立ち上げタイル貼り仕上げを施した壁面を示している。
【００１３】
図２は図１のA−A断面拡大図を示しており、図２において、１は笠木材、２ｂは手摺用支柱、３ｂはガラス、４ｃはブラケットアームであり、該ブラケットアーム４ｃはその端部をボルト・ナット１１a、１１ｂにて前記手摺用支柱２ｂに固着された持ち出しブラケット１２ｃのリブ形状の条設部を称している。
【００１４】
笠木材１はベース材１３を手摺用支柱２ｂの上端部にビス１４a、１４ｂにて固着した後、笠木材上部を嵌着して構成されており、また手摺用支柱２ｂはバルコニーや廊下のコンクリート立ち上がり部１５に一定間隔を持って穿たれた支柱植設孔１６に嵌挿され無膨張コンクリート１７を充填することで強固に立設されている。尚、１８は雨水の浸入防止用コーキングである。
【００１５】
而して前記持ち出しブラケット１２ｃは笠木材１の下部からバルコニーや廊下のコンクリートスラブ立ち上がり部１５の厚さを加えた長さＬとし、前記持ち出しブラケット下部をバルコニーや廊下のコンクリートスラブ立ち上がり部１５の略断面形状に合わせて欠き取った欠切部１９を設けることにより、持ち出しブラケット１２ｃのブラケットアーム４ｃの下端をコンクリートスラブ鼻先部９の下端まで伸張できる。６ｂはブラケットアーム４ｃの上端部に固着された上枠横桟材、７ｂはブラケットアーム４ｃの下端部に固着された下枠横桟材であり、該上下枠横桟材６a、７ｂはそれぞれブラケットアーム４ｃの背面よりビスにて固着されている。ガラス３ｂは前記上下枠横桟材６a、７ｂ間に嵌合され、上下枠横桟材６a、７ｂにそれぞれ設けられている押縁を介してコーキングにて嵌着されている。
【００１６】
持ち出しブラケット１２ｃにより挟持固定された上下枠横桟材６a、７ｂやガラス３ｂ等からなる手摺腰壁材８は本実施例では笠木材１の直下より装架され、その下端部はコンクリートスラブの鼻先部９を覆い隠す構成となっている。
【００１７】
図３は図１のＢ−Ｂ断面拡大図を示しており、持ち出しブラケット１２a、１２ｂ、１２ｃ、１２ｄの断面形状を詳説する説明図である。図３において、２a、２ｂは手摺用支柱、２０a、２０ｂは支柱の補強用心材、２１a、２１ｂは化粧用カバー材、１２a、１２ｂ、１２ｃ、１２ｄは持ち出しブラケツト、１１aは前記持ち出しブラケツト１２a、１２ｂ・・・を手摺用支柱２a、２ｂに固定するためのボルト・ナット、４a、４ｂ、４ｃ、４ｄは前記持ち出しブラケット１２a、１２ｂの一部からなるブラケットアーム、１５はコンクリートスラブ立ち上がり部、７a、７ｂ、７ｃは下枠横桟材、３a、３ｂ、３ｃはガラスをそれぞれ示している。手摺用支柱２a、２ｂにはそれぞれの手摺用支柱見込面Ｄに対向して当接されボルト・ナット１１a、１１ｂにて手摺用支柱２a、２ｂに固着された一対ずつの持ち出しブラケット１２aと１２ｂ、及び１２ｃと１２ｄが設けられており、例えば、持ち出しブラケット１２aと１２ｂの断面形状を説明すれば、前記手摺用支柱見込面Ｄに当接された板状持ち出しブラケット１２a、１２ｂは互いに手摺用支柱２aの見込面Ｄを覆い、且つ手摺用支柱２aの見付面Ｗを半分ずつ覆うＬ字型として互いに当接し、該当接部のＬ字型端部より手摺外部側に伸張するリブ形状のブラケットアーム４a、４ｂを有する持ち出しブラケット１２a、１２ｂを形成する。
【００１８】
この持ち出しブラケット１２a、１２ｂは前記手摺用支柱２aへの固定用ボルト・ナット１１a、１１ｂを螺着しない状態では２分割でき、下枠横桟材７ｂ等の取付は、該下枠横桟材７ｂを介して互いに対向するブラケットアーム４ｂ、４ｃの背面からビス２２a、２２ｂ、２２ｃ、２２ｄにより螺着できる。
【００１９】
斯くして、本実施例の取付手順は図４に示す如く、コンクリートスラブ立ち上がり部１５上に一定間隔で手摺用支柱２a、２ｂ、２ｃを植設し、該手摺用支柱上端部に笠木材１を架設固定する。手摺腰壁材８は工場にて組立られたユニット部品として、両側持ち出しブラケット１２ｂ、１２ｃ、上下枠横桟材６ｂ、７ｂ及び、該上下枠横残材６ｂ、７ｂに嵌着されたガラス３ｂからなる。
【００２０】
而して、図１乃至図４にて説明した本実施例は、図１の正面図の如く笠木材１が腰壁材８のトップレールとして構成され、笠木材１の下部よりガラス３a、３ｂ、３ｃと上枠横桟材６a、６ｂ及び下枠横桟材７a、７ｂとで構成される腰壁材８が持ち出しブラケット１２a、１２ｂ、１２ｃ・・・により当該建物の他の外壁１０と同一面状まで持ち出して設置することができ、且つコンクリートスラブの鼻先部９を覆い隠すことが可能である。また本発明にあっては、ガラス３a、３ｂ、３ｃ等は上枠横桟材６a、６ｂ・・・及び下枠横桟材７a、７ｂ・・・にて嵌着しているため、所謂竪桟の部位には持ち出しブラケット１２a、１２ｂ、１２ｃ・・・のブラケットアーム４a、４ｂ、４ｃ・・・の板厚が見付面として見えるのみであるから、ガラス３a、３ｂ、３ｃ・・・の作り出すスクリーンは表面上、横連窓で連続したパネルとして取り付けることができる。また本発明の持ち出し手摺は、初めに手摺用支柱２a、２ｂ、２ｃ・・・をコンクリートスラブ立ち上がり部１５に植設して、笠木材１を装架固定して取付場所の安全を確保してからユニット形状に工場にて組立したガラスパネルを揚重して取り付けるため、外部足場のない高層マンションの手摺として最適である。
【００２１】
図５及び図６は上述のガラス型式持ち出し手摺の他の実施形態を示すもので図５は正面図、図６は図５のＣ−Ｃ断面図を示している。
【００２２】
図５及び図６において、１は笠木材、２は手摺用支柱で、該手摺用支柱２は一定間隔を持ってコンクリートスラブ立ち上がり部１５に複数本植設されている。１２は手摺用支柱にボルト・ナット１１a、１１ｂにて固定される持ち出しブラケットであり、該持ち出しブラケツト１２は前述の実施様態と同様の断面形状を有し、それぞれの手摺用支柱１２に一対ずつ配置される（但し、手摺端部は片側のみでよい）。
【００２３】
４a、４ｂ、４ｃ、４ｄ、４eは前記持ち出しブラケツトよりそれぞれリブ状に突設されたブラケットアームであり、本実施様態では前記ブラケットアーム４a、４ｂ、４ｃ、４ｄ、４eの上端部を図６の如く笠木材１の上端と揃え、且つ笠木材１を障害なく使えるように間隙を有して欠き取り欠切部２３を設ける。またブラケットアーム４a、４ｂ、４ｃ、４ｄ、４e・・・はその長手方向で笠木材１の上端から前記コンクリートスラブ立ち上がり部１５の水切部２４上端までの長さＬとして製作して、下部には欠切部１９を設ける。
【００２４】
そしてブラケットアーム４a、４ｂ、４ｃ・・・の上下端部にそれぞれ挟持する形で上枠横桟材６及び下枠横桟材７を架設する。ガラス３a、３ｂ、３ｃ・・・は前記上下枠横桟材間６、７に嵌着され、これらを施工すると略連続に見えるガラススクリーンは持ち出し手摺構造により他の外壁面１０と同一面状までガラス枠スクリーンを持ち出して取り付けることができ、当該建物の外部側よりみると図５に示す如く、ガラスからなる手摺腰壁材は、上部で笠木材１を覆い隠し、下部はコンクリートスラブ下部水切部上端までを覆い隠す構成とすることができる。尚、前述の実施様態は手摺腰壁材として、ガラスを一例にあげ説明してきたが、該腰壁材はアルミハニカム材等の材料であっても、本発明の要旨を逸脱するものではない。
【００２５】
斯くして、本発明の実施様態は他に手摺腰壁材の形態が異なる例えば、竪格子、横桟ルーバー及びアルミパンチングパネル等でも応用でき、建物の外装をを多彩な構成要素で形創ることも、本発明の優れた特徴であり、図７乃至図１２において、それらを詳説する。
【００２６】
図７及び図８は本発明を竪格子型式の持ち出し手摺に使用した実施形態を説明するもので、図８は図７のＤ−Ｄ断面図を示している。図７及び図８において、１は笠木材、２は手摺用支柱で、該手摺用支柱２は一定間隔を持ってコンクリートスラブ立ち上がり部１５に複数本植設されている。１２は手摺用支柱ボルト・ナット１１a、１１ｂにて固定される持ち出しブラケットであり、該持ち出しブラケット１２は前記実施様態と同様の断面形状を有し、それぞれ一対ずつ配置されている。
【００２７】
４a、４ｂ、４ｃ、４ｄは前記持ち出しブラケットよりそれぞれリブ状に突設されたブラケットアームであり、本実施様態ではブラケットアーム４a、４ｂ、４ｃ、４ｄの上端部を図８の如く笠木材１の上端と揃え、且つ笠木材１を障害なく使える用に間隙を有して欠き取り欠切部２３を設ける。
【００２８】
またブラケットアーム４a、４ｂ、４ｃ、４ｄ・・・はその長手方向で笠木材１の上端から前記コンクリートスラブ立ち上がり部１５の下端までの長さとして製作して、下部には欠切部１９を設ける。そしてブラケットアーム４a、４ｂ、４ｃ・・・の上下端部にそれぞれ挟持する形で上枠横桟材６及び下枠横桟材７を架設する。竪格子材２４a、２４ｂ、２４ｃ・・・は前記上枠横桟材６及び下枠横桟材７間に一定ピッチ間隔を持って装架固定され、ピッチ間隔にもよるが図７の如く笠木材１からコンクリートスラブ鼻先部９までを当該建物の外観上は竪格子２４a、２４ｂ、２４ｃ・・・で覆うことができる。
【００２９】
しかして前記上枠横桟材６は後方に位置する笠木材１と重複し、また下枠横桟材７は後方のコンクリートスラブ鼻先部９と重複しているから透視上では上下枠横桟材６，７は目立つことなく、本発明の特徴である横連続性のある意匠と相まって、すっきりした竪格子持ち出し手摺を提供できるほか、他の外壁１０と同一面に前記竪格子２４a、２４ｂ、２４ｃ・・・の表面を揃えること可能である。
【００３０】
図９及び図１０は本発明をアルミパンチングパネルの持ち出し手摺に使用した実施形態を示すもので、図１０は図９のE−E断面図を示している。
【００３１】
図９及び図１０において前記実施形態と同一符号は同一構成要素を示しており、１は笠木材、２は手摺用支柱で、該手摺用支柱２は図１０に示す如く上方部で当該建物内部側に屈折した形状を有して上端部に架設される笠木材１が支障なく使える用に形成されている。
【００３２】
１２は前記手摺用支柱２にボルト・ナット１１a、１１ｂにて固定される持ち出しブラケットであり、該持ち出しブラケット１２は他の実施様態と同様の断面形状を有し、それぞれの手摺用支柱１２に一対ずつ配置されている（但し、手摺端部は片側のみ）。４a、４ｂ、４ｃ・・・は前記持ち出しブラケットよりそれぞれリブ状に突設されたブラケットアームであり、本実施様態では前記ブラケットアーム１２の長手方向の長さは、図１０の如く笠木材１の直下からコンクリートスラブ鼻先部９の下端までの長さとして製作して、下部には欠切部１９を設ける。
【００３３】
前記ブラケットアーム４a、４ｂ、４ｃ・・・の上下端部にそれぞれ設けられる上枠横桟材６及び下枠横桟材７は本実施様態ではアルミパンチングパネル２５a、２５ｂ、２５ｃ・・・の補強骨材としてパンチングパネル２５a、２５ｂ、２５ｃ・・・にそれぞれ内蔵され、該パンチングメタル２５a、２５ｂ、２５ｃ・・・は前記ブラケットアーム４a、４ｂ、４ｃ・・に挟持されパンチングパネル型式の持ち出し手摺が構成されている。尚、図１０の想像線２６にて示すパンチングパネルの伸張部は前述の実施様態と同様、本実施例がパンチングパネルによっても、外観上、当該建物の笠木材１、手摺用支柱１２、及びコンクリートスラブ鼻先部９を任意に覆い隠すことができる発明であることを示している。
【００３４】
斯くして、本発明は請求項１の構成として、バルコニーや廊下の外部側に一定間隔を持って複数本の手摺用支柱２a、２ｂ、２ｃ・・・植設し、該植設された複数本の手摺用支柱の上端部に笠木材１を架設して手摺を構成し、該手摺用支柱２a、２ｂ、２ｃ・・・にはそれぞれの手摺用支柱見込面Ｄに対向して当接されたビスまたはボルト・ナット１１a、１１ｂにて前記手摺用支柱に固着された一対の板状持ち出しブラケット１２a、１２ｂ・・・を備え、該持ち出しブラケット１２a、１２ｂ・・・の断面形状をそれぞれ前記手摺用支柱２a、２ｂ、２ｃ・・・の見込面Ｄを覆い且つ見付面Ｗ半分をそれぞれ覆うようにＬ字型として互いに当接するＬ字型端部より手摺外部側に突設するリブ形状のブラケットアーム４a、４ｂ、４ｃ・・・を設け、該ブラケットアームを包括する前記持ち出しブラケット１２a、１２ｂ、１２ｃ・・を手摺の笠木材１直下部からコンクリートスラブの鼻先部９の厚さを加えた長さとし、該持ち出しブラケット１２a、１２ｂ、１２ｃ・・・下部を前記コンクリートスラブの鼻先部９の略断面形状に合わせて欠き取り欠切部１９を設け、前記持ち出しブラケット１２a、１２ｂ、１２ｃ・・・より突設して設けられたブラケットアーム４a、４ｂ、４ｃ・・・の上端側面とそれぞれ対向する他の手摺用支柱２a、２ｂ、２ｃ・・・に設けられた同一形状のブラケットアーム４a、４ｂ、４ｃ・・・の上端間に手摺の腰壁材８取付用上枠横桟材６a、６ｂ、６ｃ・・・をそれぞれ取り付けて固着し、該ブラケットアーム４a、４ｂ、４ｃ・・・下端間には手摺の腰壁材８取付用下枠横桟材７a、７ｂ、７ｃ・・・をそれぞれ取り付けて、該上下枠横桟材を用いて手摺の腰壁材８となるガラス、アルミパネル、格子等を固定せしめ、該手摺の腰壁材８の取付面が当該建物の他の外壁面と同一面状に持ち出して取付可能となし、該腰壁材８が前記笠木材１の直下より装架され下部はコンクリートスラブ鼻先部９を覆い隠し当該建物外部から見えないよう構成するか、前記コンクリートスラブ下部水切部２４上端までを覆い隠す構成としたことを特徴とした。
【００３５】
また、本発明は請求項２の構成として、バルコニーや廊下の外部側に一定間隔を持って複数本の手摺用支柱２a、２ｂ、２ｃ・・・を植設し、該植設された複数本の手摺用支柱の上端部に笠木材１を架設して手摺を構成し、該手摺用支柱２a、２ｂ、２ｃ・・・にはそれぞれの手摺支柱見込面Ｄに対向して当接されたビスまたはボルト・ナット１１a、１１ｂにて前記手摺用支柱に固着された一対の板状持ち出しブラケット１２a、１２ｂ、１２ｃ・・・を備え、該持ち出しブラケット１２a、１２ｂ、１２ｃ・・・の断面形状をそれぞれ前記手摺用支柱２a、２ｂ、２ｃ・・・の見込面Ｄを覆い且つ見付面Ｗの半分をそれぞれ覆うようにＬ字型として互いに当接するＬ字型端部より手摺外部側に突設するリブ状のブラケットアーム４a、４ｂ、４ｃ・・・を設け、該ブラケットアームを包括する前記持ち出しブラケット１２a、１２ｂ、１２ｃ・・・の長さを手摺の笠木材１の天端の高さに合わせ手摺高さにコンクリートスラブの鼻先部９の厚さを加えた長さとして、該それぞれの持ち出しブラケット下部を前記コンクリートスラブ鼻先部９の略断面形状に合わせて欠き取り欠切部部１９を設け、また該持ち出しブラケット上部を笠木材１が支障なく使えるよう間隙を有して欠き取り欠切部２３を設け、前記持ち出しブラケット１２a、１２ｂ、１２ｃ・・・より突設して設けられたブラケットアーム４あ、４ｂ、４ｃ・・・の上端側面とそれぞれ対向するたの手摺用支柱２a、２ｂ、２ｃ・・・に設けられた上側面とそれぞれ対向する他の手摺用支柱２a、２ｂ、２ｃ・・・に設けられた同一形状のブラケットアーム４a、４ｂ、４ｃ・・・の上端間に手摺の腰壁材８取付用上枠横桟材6a、６ｂ、６ｃ・・・をそれぞれ取り付けて固着し、該ブラケットアーム４a、４ｂ、４ｃ・・・下端間には手摺の腰壁材８取付用下枠横桟材７a、７ｂ、７ｃ・・・をそれぞれ取り付けて、該上下枠横桟材を用いて手摺の腰壁材８となるガラス、アルミパネル、格子等を固定せしめ、該手摺の腰壁材８の取付面が当該建物の他の外壁面と同一面状に持ち出して取付可能となし、該腰壁材８が前記笠木材１の天端同一高さより装架され下部はコンクリートスラブ鼻先部９を覆い隠し当該建物外部から見えないよう構成するか、前記コンクリートスラブ下部水切部２４上端までを覆い隠す構成としたことを特徴とした。
【００３６】
【発明の効果】
以上説明したとおり、本発明においては、手摺用支柱にビスまたはボルト・ナットにて固着される持ち出しブラケットにリブ状突設部を有するブラケットアームを設け、該ブラケットアームの長さを選択して製作すること、及び、前記ブラケットアームの上端部を笠木の使用に支障がないよう欠き取り、またブラケットアームの下端部はコンクリートスラブの鼻先部の形状に合わせて欠き取った持ち出しブラケットを用いることにより、前記ブラケットアームに取り付けられるガラス、アルミパネル、格子等の手摺腰壁材を当該建物の外壁面と同一面状に位置して取り付けることが出来、建物の外部側からはバルコニーや廊下のコンクリートスラブの鼻先部を見せないように、手摺の腰壁材であるガラスやアルミパネル、または格子で覆い隠したり、同様に手摺上部の笠木や支柱を手摺の腰壁材で覆い隠し当該建物の他の外壁面と連続するファサードを構成する外壁材ととしての要素を持つ、持ち出し手摺を提供することができた。
【図面の簡単な説明】
【図  １】本発明の一実施例を示す正面図である。
【図  ２】図１のA−A断面拡大図である。
【図  ３】図１のＢ−Ｂ断面拡大断面図である。
【図  ４】）図１の施工手順を説明する斜視図である。
【図  ５】図１乃至図４にて説明した実施例の他の実施様態を説明する正面図である。
【図  ６】図５のＣ−Ｃ側断面図図である。
【図  ７】本発明の他の実施例を示す正面図である。
【図  ８】図７のＤ−Ｄ側断面図である。
【図  ９】本発明をアルミパネル型式の手摺に用いた実施例を示す正面図である。
【図１０】図９のE−E側断面図である。
【符号の説明】
１  笠木材
２a、２ｂ、２ｃ・・・  手摺用支柱
３a、３ｂ、３ｃ・・・  ガラス
４a、４ｂ、４ｃ・・・  ブラケットアーム
６a、６ｂ、６ｃ・・・  上枠横桟材
７a、７ｂ、７ｃ・・・  下枠横桟材
８  手摺の腰壁材
９  コンクリートスラブ鼻先部
１０  外壁面
１１a、１１ｂ  ボルト・ナット
１２a、１２ｂ、１２ｃ・・・  持ち出しブラケット
１３  ベース材
１４a、１４ｂ  ビス
１５  コンクリートスラブ立ち上がり部
１６  支柱植設孔
１７  無膨張コンクリート
１８  コーキング
１９  下部欠切部
２０a、２０ｂ  支柱の補強用芯材
２１a、２１ｂ  化粧用カバー材
２２a、２２ｂ、２２ｃ、２２ｄ  ビス
２３  上部欠切部
２４a、２４ｂ、２４ｃ・・・  竪格子材
２５a、２５ｂ、２５ｃ・・・  パンチングパネル
２６  パンチングパネル伸張部（想像線）
【図１】
0003698695.tif 000002
【図２】
0003698695.tif 000003
【図３】
0003698695.tif 000004
【図４】
0003698695.tif 000005
【図５】
0003698695.tif 000006
【図６】
0003698695.tif 000007
【図７】
0003698695.tif 000008
【図８】
0003698695.tif 000009
【図９】
0003698695.tif 000010
【図１０】
0003698695.tif 000011